(57)【要約】【課題】  隣り合う壁面材が位置ずれを起こしていても、ガスケット型目地カバーを目地交差部において真っ直ぐ貫かせるように取り付けることができる、壁目地へのガスケット型目地カバーの取付け構造を提供する。【解決手段】  例えば外壁面材間の縦目地４と横目地３の交差部において、ガスケット型目地カバー５の取付けに用いられる真っ直ぐな硬質ベース材６が目地交差部を貫くようにして横目地３内に設置され、該ベース材６の設置された目地３は有底の目地溝からなっていて、ベース材６は該目地溝３の底面に取り付けられている。目地カバー５は、該ベース材６に係合保持されることで目地交差部を貫き、ベース材６の設置された横目地３をカバーしている。【選択図】      図１
2005090028.tif 000002
【特許請求の範囲】
【請求項１】
壁面材間の縦目地と横目地の交差部において、ガスケット型目地カバーの取付けに用いられる真っ直ぐな硬質ベース材が目地交差部を貫くようにして縦目地内又は横目地内に設置され、
該ベース材の設置された目地は有底の目地溝からなっていて、ベース材は該目地溝の底面に取り付けられ、
該ベース材は目地カバー係合保持部を備え、
ガスケット型目地カバーがベース材の該係合保持部に係合保持されることで、目地交差部を貫いてベースの設置された目地溝をカバーしていることを特徴とする壁目地へのガスケット型目地カバーの取付け構造。
【発明の詳細な説明】
【技術分野】
【０００１】
本発明は、壁目地へのガスケット型目地カバーの取付け構造に関する。
【背景技術】
【０００２】
住宅用などの建物において、例えば、図５（イ）（ロ）に示すように、階上外壁パネルの外壁面材５１，５１と、階間胴差部の外壁面材５２，５２との間の横目地５３をガスケット型の弾力性のある目地カバー５５でカバーするような場合に、図５（ハ）に示すように、左右方向において隣り合う外壁面材５１，５１；５２，５２が上下方向に位置ずれを起こしていると、目地カバー５５が、縦目地５４と横目地５３との交差部において、その弾力性によって歪むように変形し、外観上の体裁を損ねてしまうという問題がある。
【発明の開示】
【発明が解決しようとする課題】
【０００３】
本発明は、上記のような問題点に鑑み、隣り合う壁面材が位置ずれを起こしているような場合であっても、ガスケット型目地カバーを目地交差部において真っ直ぐ貫かせるように取り付けることができる、壁目地へのガスケット型目地カバーの取付け構造を提供することを課題とする。
【課題を解決するための手段】
【０００４】
上記の課題は、壁面材間の縦目地と横目地の交差部において、ガスケット型目地カバーの取付けに用いられる真っ直ぐな硬質ベース材が目地交差部を貫くようにして縦目地内又は横目地内に設置され、
該ベース材の設置された目地は有底の目地溝からなっていて、ベース材は該目地溝の底面に取り付けられ、
該ベース材は目地カバー係合保持部を備え、
ガスケット型目地カバーがベース材の該係合保持部に係合保持されることで、目地交差部を貫いてベースの設置された目地溝をカバーしていることを特徴とする壁目地へのガスケット型目地カバーの取付け構造によって解決される。
【０００５】
この取付け構造では、硬質ベース材が目地交差部を貫くようにして目地内に設置され、このベース材にガスケット型目地カバーを係合保持させて目地をカバーするようになされているので、ガスケット型目地カバーは、硬質ベース材の真っ直ぐなラインに沿うように取り付けられて、目地の形状に依存して変形しにくくなり、あるいは変形せず、そのため、隣り合う壁面材が位置ずれを起こしているような場合であっても、ガスケット型目地カバーを目地交差部において真っ直ぐ貫かせるように取り付けることができる。
【０００６】
しかも、ベース材の設置された目地は有底の目地溝からなっていて、ベース材は該目地溝の底面に取り付けられているので、壁が外壁である場合には、目地内へのベース材の取付けを屋外側から容易に行うことができる。
【発明の効果】
【０００７】
本発明は、以上のとおりのものであるから、隣り合う壁面材が位置ずれを起こしているような場合であっても、ガスケット型目地カバーを目地交差部において真っ直ぐ貫かせるように取り付けることができる。
【発明を実施するための最良の形態】
【０００８】
次に、本発明の実施最良形態を図面に基づいて説明する。
【０００９】
図１〜図４に示す実施形態の取付け構造は、階上外壁パネルの外壁面材１，１と、階間胴差部の外壁面材２，２との間の横目地３をガスケット型の弾力性のある目地カバー５でカバーする場合のものである。
【００１０】
本実施形態では、図３（イ）に示すように、階上の左右に隣り合う外壁パネルの外壁面材１，１が上下にずれを生じており、それにならうように、胴差部の左右に隣り合う外壁面材２，２も上下にずれを生じ、それによって、横目地３が縦目地４との交差部において段になって延びている。
【００１１】
この横目地３内にガスケット型目地カバー５を目地交差部を真っ直ぐに貫かせるように取り付けるのに用いられているのが硬質ベース材６であり、該硬質ベース材６は、樹脂あるいはアルミニウム等の金属からなる断面コ字状の真っ直ぐな長尺物からなっていて、図３（ロ）及び図４（イ）に示すように、開口側を屋外側に向け、縦目地４と横目地３の交差部を真っ直ぐに貫くようにして横目地３内に水平に設置され、ビス７などで横目地３の底面部に取り付けられている。
【００１２】
本実施形態では、硬質ベース材６を横目地３内に水平に取り付けるため、図４（イ）（ロ）に示すように、階上外壁パネルの外壁面材１，１のうちの下方にずれている側の外壁面材の下面部を基準面として硬質ベース材６が当てられている。もちろん、胴差部外壁面材２，２のうちの上方にずれている側の外壁面材の上面部を基準面として硬質ベース材６を当てるようにしてもよい。硬質ベース材６は、上記のように、目地３の底面に取り付けられるものであるため、上下のいずれか都合の良い方を基準面として選択することができて硬質ベース材６を容易に水平に位置決めでき、しかも、硬質ベース材６の取付けも屋外側から容易に行うことができる。
【００１３】
そして、硬質ベース材６の両辺の開口側の内面部には、目地カバー５を係合保持する爪部６ａ，６ａが備えられると共に、ガスケット型目地カバー５には、図４（ロ）に示すように、ヒレ部５ｂ，５ｂが備えられ、目地カバー５を屋外側から横目地３内の硬質ベース材６の溝内に押し込むことにより、ヒレ部５ｂ，５ｂが硬質ベース材６の溝内で開いて爪部６ａ，６ａと係合し、目地カバー５が硬質ベース材６に保持され、目地カバー５のカバー部５ａによって横目地３がカバーされるようになされている。
【００１４】
上記の取付け構造では、硬質ベース材６が目地交差部を貫くようにして横目地３内真っ直ぐに設置され、このベース材６にガスケット型目地カバー５が係合保持されて横目地３をカバーするようになされているので、図３（イ）に示すように、横目地３が縦目地４との交差部で段になっていても、ガスケット型目地カバー５は、図１（ハ）に示すように、硬質ベース材６の真っ直ぐなラインに沿うように延びることができ、目地交差部を真っ直ぐ貫くように取り付けられる。
【００１５】
以上に、本発明の実施形態を示したが、本発明はこれに限られるものではなく、発明思想を逸脱しない範囲で各種の変更が可能である。例えば、上記の実施形態では、階上外壁パネルの外壁面材と階間胴差部の外壁面材との間の横目地へのガスケット型目地カバーの取付けに適用した場合を示したが、その他の横目地であってもよいし、また、縦目地であってもよいし、更に外壁以外の目地であってもよいし、要は、本発明の取付け構造は、ガスケット型目地カバーを壁面材間の縦目地と横目地の交差部を貫くように取り付ける場合に用いることができるものである。また、本発明の取付け構造は、目地が交差部で段になっている場合に限って用いられるものではなく、目地が交差部で段になっていない場合にも、なるおそれのある目地への取付けに広く用いることができるものであり、それによって、万一、目地が目地交差部で段になっているような場合であっても、ガスケット型目地カバー材が目地交差部で歪んだりするのを未然に防止することができる。
【００１６】
また、本発明のガスケット型目地カバーは目地をカバーする機能を備えたものであればよく、十分な止水性を備えたものであってもよいし、備えてないものであってもよい。本実施形態では、目地カバー５は必ずしも十分な止水性能を備えたものではなく、図１（イ）に示すように、背後の水切り板８で止水を行うようになされている。
【図面の簡単な説明】
【００１７】
【図１】実施形態の取付け構造を示すもので、図（イ）は断面側面図、図（ロ）は要部拡大断面側面図、図（ハ）は正面図である。
【図２】目地、硬質ベース材及びガスケット型目地カバーを分離状態にして示す断面斜視図である。
【図３】図（イ）は目地部の正面図、図（ロ）は硬質ベース材の取付け方法を示す断面側面図である。
【図４】図（イ）は硬質ベース材の取付け状態を示す正面図、図（ロ）はガスケット型目地カバーの取付け方法を示す断面側面図である。
【図５】背景技術を示すもので、図（イ）はガスケット目地カバーの取付け状態を示す断面側面図、図（ロ）は目地カバーの取付け方法を示す断面側面図、図（ハ）は目地カバーの取付け状態を示す正面図である。
【符号の説明】
【００１８】
１…階上外壁面材
２…胴差部外壁面材
３…横目地
４…縦目地
５…ガスケット型目地カバー
６…硬質ベース材
６ａ…爪部（係合保持部）
【図１】
2005090028.tif 000003
【図２】
2005090028.tif 000004
【図３】
2005090028.tif 000005
【図４】
2005090028.tif 000006
【図５】
2005090028.tif 000007